(57)【要約】【課題】物干し竿からの脱落を防止することができ、且つ、物干し竿への着脱が簡便な脱落防止機能付きハンガーの提供。【解決手段】フック部１１とこのフック部１１の基端に連接した衣類係止部１２とよりなるハンガー本体１０と、フック部１１の開口Ａを閉鎖する開口閉鎖部２０と、開口閉鎖部２０がフック部１１の開口Ａを閉鎖した状態を維持するためのロック部３０と、を備えた脱落防止機能付きハンガーにおいて、開口閉鎖部２０及びロック部３０は、それぞれハンガー本体１０に回動自在に軸支されており、開口閉鎖部２０をフック部１１の開口Ａが閉鎖される位置まで回動させた状態で、ロック部３０を回動させて当該ロック部３０と開口閉鎖部２０とを当接させることにより、ロック部３０が開口閉鎖部２０の回動を規制して当該開口閉鎖部２０がフック部１１の開口Ａを閉鎖した状態を維持することを特徴とする脱落防止機能付きハンガー１とした。【選択図】図１
2009285055.tif 000002
【特許請求の範囲】
【請求項１】
フック部とこのフック部の基端に連接した衣類係止部とよりなるハンガー本体と、
前記フック部の開口を閉鎖する開口閉鎖部と、
前記開口閉鎖部が前記フック部の開口を閉鎖した状態を維持するためのロック部と、を備えた脱落防止機能付きハンガーにおいて、
前記開口閉鎖部及び前記ロック部は、それぞれ前記ハンガー本体に回動自在に軸支されており、
前記開口閉鎖部を前記フック部の開口が閉鎖される位置まで回動させた状態で、前記ロック部を回動させて当該ロック部と前記開口閉鎖部とを当接させることにより、前記ロック部が前記開口閉鎖部の回動を規制して当該開口閉鎖部が前記フック部の開口を閉鎖した状態を維持する
ことを特徴とする脱落防止機能付きハンガー。
【請求項２】
前記衣類係止部は、一端に衣類挿通口を形成したスリットを有しており、
前記開口閉鎖部は、回動操作により前記フック部の開口と前記衣類係止部の衣類挿通口とを同時に閉鎖可能に構成され、
前記開口閉鎖部を前記フック部の開口及び前記衣類係止部の衣類挿通口が閉鎖される位置まで回動させた状態で、前記ロック部を回動させて当該ロック部と前記開口閉鎖部とを当接させることにより、前記ロック部が前記開口閉鎖部の回動を規制して当該開口閉鎖部が前記フック部の開口を閉鎖した状態を維持するとともに、前記衣類係止部の衣類挿通口から衣類を取り外し不能とする
ことを特徴とする請求項１に記載の脱落防止機能付きハンガー。
【請求項３】
前記ロック部は、前記開口閉鎖部の回動を規制する位置にあるとき、少なくとも一側面から見たときに視認不能であることを特徴とする請求項２に記載の脱落防止機能付きハンガー。
【請求項４】
前記ハンガー本体には、前記ロック部とは別に、前記開口閉鎖部の回動を規制する第２のロック部が設けられており、
前記第２のロック部は、前記開口閉鎖部の回動を規制した状態を維持する施錠部を有し、所定の鍵を用いて解錠することにより前記開口閉鎖部の回動を規制した状態を解除可能とする
ことを特徴とする請求項２又は請求項３に記載の脱落防止機能付きハンガー。
【請求項５】
前記衣類係止部及び前記開口閉鎖部には、前記衣類係止部のスリット内に挿通した衣類を挟持するための挟持片がそれぞれ設けられており、
前記開口閉鎖部を前記フック部及び前記衣類係止部の衣類挿通口が閉鎖される位置まで回動させたとき、各前記挟持片により前記衣類が挟持される
ことを特徴とする請求項２〜４の何れか１項に記載の脱落防止機能付きハンガー。
【請求項６】
前記衣類係止部において前記スリットを形成する下端面は、当該スリットの延在方向中央近傍を頂点として山形に形成されていることを特徴とする請求項２〜５の何れか１項に記載の脱落防止機能付きハンガー。
【請求項７】
前記衣類係止部は、前記衣類挿通口近傍に当該衣類係止部に吊下げた衣類の前記衣類挿通口からの滑落を防止するための膨大部が設けられていることを特徴とする請求項２〜６の何れか１項に記載の脱落防止機能付きハンガー。
【請求項８】
前記衣類係止部の下部には、前記衣類係止部に吊下げた衣類の型崩れを防止する形状維持具を着脱自在に取り付けるための取り付け部が設けられていることを特徴とする請求項２〜７の何れか１項に記載の脱落防止機能付きハンガー。
【発明の詳細な説明】
【技術分野】
【０００１】
本発明は、物干し竿からの脱落を防止する機能を備えたハンガーに関するものである。
【背景技術】
【０００２】
従来より、洗濯後の濡れた衣類を戸外に干した場合、強風が吹いたりして干していた衣類がハンガーとともに物干し竿から落下し、せっかく洗濯した衣類が汚れてしまうといった事態が起きていた。
【０００３】
このような事態を防ぐことのできるハンガーとして、例えば、フック部を有するハンガー本体とフック部の開口を閉鎖するストッパとから成り、ストッパの基部をハンガー本体に回動自在に連結するとともに当該ストッパの先端とフック部の先端とが係合可能に構成された脱落防止機能付きハンガーが開発されている（特許文献１参照。）。
【０００４】
このハンガーは、ハンガー本体自体の弾性力によって、ストッパとフック部の先端とが係合した状態を維持することとしており、かかる構成により、ストッパがフック部の開口を閉鎖した状態が維持されて、強風等によりハンガー本体の物干し竿からの脱落を防止することが可能となる。
【特許文献１】特開平６−１２１８９７号公報
【発明の開示】
【発明が解決しようとする課題】
【０００５】
しかしながら、特許文献１に記載の発明は、上記のように、弾性力によってストッパとフック部の先端とが係合した状態を維持することとしているため、このハンガーを物干し竿に掛ける際や物干し竿から当該ハンガーを取り外す際に、この弾性力に抗してストッパとフック部との係合状態を解除する必要がある。そのため、上記特許文献１に記載の発明は、女性や子供など比較的力の弱い人にとって扱い難いものとなっている。
【０００６】
そこで、本発明は、物干し竿からの脱落を防止することができ、且つ、物干し竿への着脱が簡便な脱落防止機能付きハンガーの提供を目的とするものである。
【課題を解決するための手段】
【０００７】
上記課題を解決するために、請求項１に記載の発明は、フック部とこのフック部の基端に連接した衣類係止部とよりなるハンガー本体と、前記フック部の開口を閉鎖する開口閉鎖部と、前記開口閉鎖部が前記フック部の開口を閉鎖した状態を維持するためのロック部と、を備えた脱落防止機能付きハンガーにおいて、前記開口閉鎖部及び前記ロック部は、それぞれ前記ハンガー本体に回動自在に軸支されており、前記開口閉鎖部を前記フック部の開口が閉鎖される位置まで回動させた状態で、前記ロック部を回動させて当該ロック部と前記開口閉鎖部とを当接させることにより、前記ロック部が前記開口閉鎖部の回動を規制して当該開口閉鎖部が前記フック部の開口を閉鎖した状態を維持することを特徴とする脱落防止機能付きハンガーとした。
【０００８】
また、請求項２に記載の発明は、請求項１に記載の発明において、前記衣類係止部は、一端に衣類挿通口を形成したスリットを有しており、前記開口閉鎖部は、回動操作により前記フック部の開口と前記衣類係止部の衣類挿通口とを同時に閉鎖可能に構成され、前記開口閉鎖部を前記フック部の開口及び前記衣類係止部の衣類挿通口が閉鎖される位置まで回動させた状態で、前記ロック部を回動させて当該ロック部と前記開口閉鎖部とを当接させることにより、前記ロック部が前記開口閉鎖部の回動を規制して当該開口閉鎖部が前記フック部の開口を閉鎖した状態を維持するとともに、前記衣類係止部の衣類挿通口から衣類を取り外し不能とすることを特徴とする。
【０００９】
また、請求項３に記載の発明は、請求項２に記載の発明において、前記ロック部は、前記開口閉鎖部の回動を規制する位置にあるとき、少なくとも一側面から見たときに視認不能であることを特徴とする。
【００１０】
また、請求項４に記載の発明は、請求項２又は請求項３に記載の発明において、前記ハンガー本体には、前記ロック部とは別に、前記開口閉鎖部の回動を規制する第２のロック部が設けられており、前記第２のロック部は、前記開口閉鎖部の回動を規制した状態を維持する施錠部を有し、所定の鍵を用いて解錠することにより前記開口閉鎖部の回動を規制した状態を解除可能とすることを特徴とする。
【００１１】
また、請求項５に記載の発明は、請求項２〜４の何れか１項に記載の発明において、前記衣類係止部及び前記開口閉鎖部には、前記衣類係止部のスリット内に挿通した衣類を挟持するための挟持片がそれぞれ設けられており、前記開口閉鎖部を前記フック部及び前記衣類係止部の衣類挿通口が閉鎖される位置まで回動させたとき、各前記挟持片により前記衣類が挟持されることを特徴とする。
【００１２】
また、請求項６に記載の発明は、請求項２〜５の何れか１項に記載の発明において、前記衣類係止部において前記スリットを形成する下端面は、当該スリットの延在方向中央近傍を頂点として山形に形成されていることを特徴とする。
【００１３】
また、請求項７に記載の発明は、請求項２〜６の何れか１項に記載の発明において、前記衣類係止部は、前記衣類挿通口近傍に当該衣類係止部に吊下げた衣類の前記衣類挿通口からの滑落を防止するための膨大部が設けられていることを特徴とする。
【００１４】
また、請求項８に記載の発明は、請求項２〜７の何れか１項に記載の発明において、前記衣類係止部の下部には、前記衣類係止部に吊下げた衣類の型崩れを防止する形状維持具を着脱自在に取り付けるための取り付け部が設けられていることを特徴とする。
【発明の効果】
【００１５】
本発明によれば、開口閉鎖部によりフック部の開口を閉鎖することで物干し竿からの落下を防止することができる。しかも、ロック部の回動操作により当該ロック部と開口閉鎖部とを当接させて、当該開口閉鎖部がフック部の開口を閉鎖した状態を解除不能とすることとしたため、ハンガー本体の物干し竿への取り付け、取り外しの際に力を要することがなく、女性や子供など比較的力の弱い人であっても当該着脱操作を簡便に行うことができる。
【発明を実施するための最良の形態】
【００１６】
〔第１実施形態について〕
以下に、本発明の第１実施形態にかかる脱落防止機能付きハンガーについて、図面を用いて具体的に説明する。図１は本実施形態にかかる脱落防止機能付きハンガーの使用状態図であり、図２は本実施形態にかかる脱落防止機能付きハンガーの正面図である。
【００１７】
本実施形態にかかる脱落防止機能付きハンガー１（以下、単に「ハンガー１」とする。）は、物干し竿からの落下を防止する機能を有するハンガーであって、図１に示すように、フック部１１とこのフック部１１の基端に連接した衣類係止部１２とよりなるハンガー本体１０に、フック部１１の開口を閉鎖する開口閉鎖部２０と、開口閉鎖部２０がフック部１１の開口Ａを閉鎖した状態を維持するロック部３０とを設けて構成されるものである。
【００１８】
なお、以下において、開口閉鎖部２０及びロック部３０が取り付けられている面をハンガー１の正面とする。
【００１９】
ハンガー本体１０は、使い捨てハンガー等の一般的なハンガーを適用することができ、本実施形態においては、図２に示すように、開口Ａを有する鉤状のフック部１１の基端に略台形状の衣類係止部１２が一体形成された形状となっている。
【００２０】
このフック部１１の中途部には、開口閉鎖部２０が設けられている。
【００２１】
開口閉鎖部２０は、ハンガー本体１０と同程度の厚みとしたプラスチック片であって、フック部１１の中途部に当該フック部１１の厚み方向に向かって設けられた第１回動軸２１に回動自在に軸支されており、ハンガー本体１０の水平面に対して平行に回動するよう構成されている。
【００２２】
この開口閉鎖部２０には、湾曲して延在するアーム部２２が形成されており、第１回動軸２１を中心に所定位置まで回動したときに、正面視において、アーム部２２の先端がフック部１１の先端と重なるよう構成されており、これにより、フック部１１の開口Ａを閉鎖可能となっている。
【００２３】
なお、開口閉鎖部２０は、第１回動軸２１近傍からアーム部２２の先端にかけての形状を、略半円弧状としており、開口閉鎖部２０がフック部１１の開口Ａを閉鎖した状態のときに、フック部１１と開口閉鎖部２０とにより形成される空間が略円形状となるように構成されている。
【００２４】
また、開口閉鎖部２０は、この略半円弧状に形成された部分の側面と対向する側面を平坦面２３としている。
【００２５】
衣類係止部１２の中途部には、ロック部３０が設けられている。
【００２６】
ロック部３０は、ハンガー本体１０や開口閉鎖部２０と同程度の厚みを有するプラスチック片で形成されており、衣類係止部１２の中途部に当該衣類係止部１２の厚み方向に向かって設けられた第２回動軸３１に回動自在に軸支されることにより、開口閉鎖部２０と同様、ハンガー本体１０の水平面に対して平行に回動するよう構成されている。
【００２７】
また、このロック部３０は、第２回動軸３１近傍部分と対向する部分の側面を平坦面３２としている。
【００２８】
本実施形態にかかるハンガー１は、これらの部材で構成されており、開口閉鎖部２０を回動させてフック部１１の開口Ａを閉鎖した状態において、ロック部３０を所定の方向（本実施形態では右回り方向）に回動させると、開口閉鎖部２０に形成された平坦面２３とロック部３０に形成された平坦面３２とが当接するように構成されている。
【００２９】
ここで、ロック部３０は、平坦面３２を底面としたときに、第２回動軸３１がこの平坦面３２の両端よりも内側に位置するように形成されている。
【００３０】
これにより、開口閉鎖部２０がロック部３０の開口Ａを閉鎖した状態を解除する方向（本実施形態では左回り）に回動しようとした場合、当該開口閉鎖部２０から平坦面２３，３２を介してロック部３０へと伝わる力が第２回動軸３１上を通ることとなるため、ロック部３０にはモーメントが働かずに平坦面２３、３２が当接した状態が維持されて、その結果、開口閉鎖部２０の左回りの回動がロック部３０により規制された状態となる。
【００３１】
かかるハンガー１を使用する際は、先ず、図２（ａ）に示すように、ハンガー１を物干し竿Ｐに掛ける。その後、図２（ｂ）に示すように、開口閉鎖部２０を右方向に回動させて当該開口閉鎖部２０のアーム部２２がフック部１１の開口Ａを閉鎖した状態とするとともに、ロック部３０を右方向に回動させて開口閉鎖部２０の平坦面２３とロック部３０の平坦面３２とが当接した状態とする。
【００３２】
かかる構成とすることにより、戸外での使用中に強風等によりハンガー１が大きく揺れた場合であっても、開口閉鎖部２０によってフック部１１の開口Ａが閉鎖されているため、ハンガー１が物干し竿Ｐから落下するおそれがない。
【００３３】
しかも、ロック部３０と開口閉鎖部２０とを回動操作により当接させて、開口閉鎖部２０がフック部１１の開口Ａを閉鎖した状態を維持することとしたため、ハンガー本体１０の物干し竿Ｐへの着脱を行う際に力を要することがなく、女性や子供など比較的力の弱い人であっても当該着脱操作を簡便に行うことができる。
【００３４】
また、上述のように、ハンガー１は、開口閉鎖部２０がフック部１１の開口Ａを閉鎖した状態において、フック部１１と開口閉鎖部２０とにより形成される空間が略円形となるように構成されているため、ハンガー１が強風で揺れた場合でも当該ハンガー１のがたつきを抑えることができる。しかも、フック部１１と開口閉鎖部２０とにより形成される空間を最大限大きくすることができるため、フック部１１に係止可能な物干し竿Ｐの直径を可及的に大きくすることができ、ハンガー１をより多くの物干し竿に適用させることが可能となる。
【００３５】
なお、図２中、符号２４、３２は、それぞれ開口閉鎖部２０及びロック部３０に記された位置合わせ用のマークであり、このマーク２４，３２を目印にすることにより、ハンガー１を使い慣れていない使用者でも操作に困ることがない。
【００３６】
〔第２実施形態について〕
次に、本発明にかかる脱落防止機能付きハンガーの第２実施形態について説明する。
【００３７】
従来より、特に女性用の下着は所謂下着泥棒の被害に遭い易く、下着を戸外に干すことに抵抗を感じる女性も少なくない。
【００３８】
そこで、本実施形態にかかる脱落防止機能付きハンガーは、主に女性用の下着を干すために用いられるものであり、脱落防止機能の他に盗難防止機能も有するものとした。
【００３９】
以下、本実施形態にかかる脱落防止機能付きハンガーについて、図面を用いてより具体的に説明する。図３は本実施形態にかかる脱落防止機能付きハンガーの使用状態図であり、図４は本実施形態にかかる脱落防止機能付きハンガーの斜視図であり、図５は本実施形態にかかる脱落防止機能付きハンガーにおける、第２のロック部の構成を説明するための拡大正面図である。
【００４０】
図３に示すように、本実施形態にかかる脱落防止機能付きハンガー２（以下、単に「ハンガー２」とする。）は、上記において説明したハンガー１と同様、フック部５１とこのフック部５１の基端に連接した衣類係止部５２とよりなるハンガー本体５０に、フック部５１の開口を閉鎖する開口閉鎖部６０と、当該開口閉鎖部６０がフック部５１の開口を閉鎖した状態を維持するためのロック部７０とを有している。
【００４１】
図４に示すように、本実施形態にかかるハンガー本体５０は、開口Ａ’を有する鉤状のフック部５１の基端に略コ字状の衣類係止部５２を取り付けて形成されている。
【００４２】
本実施形態にかかる衣類係止部５２は、一端に衣類挿通口５３を形成したスリットＳを有しており、この衣類挿通口５３を介して下着Ｃ’の股間部をスリットＳ内へ挿通させることにより、当該下着Ｃ’を係止可能としている。
【００４３】
また、本実施形態における開口閉鎖部６０は、衣類係止部５２に設けられた第１回動軸６１に回動自在に軸支されており、ハンガー本体５０の水平面に対して平行に回動するように構成されている。
【００４４】
なお、この第１回動軸６１は、衣類係止部５２における、スリットＳよりも上部、かつ、衣類挿通口５３とフック部５１の開口Ａ’との間の位置に設けられている。
【００４５】
また、この開口閉鎖部６０には、相対する方向に延在する二つのアーム部（第１アーム部６２、第２アーム部６３）が形成されており、開口閉鎖部６０が第１回動軸６１を中心とした回動操作により所定位置となったときに、これら各アーム部６２，６３によりそれぞれフック部５１の開口Ａ’及び衣類係止部５２の衣類挿通口５３が同時に閉鎖されるように構成されている。
【００４６】
また、開口閉鎖部６０の一部には、フック部５１の開口Ａ’及び衣類係止部５２の衣類挿通口５３を閉鎖した状態でハンガー本体５０との間に所定の空間を形成する肉薄部が形成されており、この所定の空間は、後述するロック部７０の収納部６５となっている。
【００４７】
本実施形態にかかるロック部７０は、フック部５１の中途部に当該フック部５１の厚み方向に向かって設けられた第２回動軸７１に回動自在に軸支されることにより、ハンガー本体５０の水平面に対して平行に回動するよう構成されている。
【００４８】
なお、図中、７３は、ロック部７０に形成された切欠部であり、この切欠部７３に指の爪などを引っ掛けることで、ロック部７０の回動操作をより容易に行うことが可能となる。
【００４９】
そして、ハンガー２は、開口閉鎖部６０がフック部５１の開口Ａ’及び衣類挿通口５３を閉鎖した状態において、ロック部７０を所定方向（本実施形態では右回り方向）に回動させると、開口閉鎖部６０に形成された平坦面６４とロック部７０に形成された平坦面７２とが当接するように構成されている。
【００５０】
ここで、ロック部７０は、第１実施形態にかかるロック部３０と同様、平坦面７２を底面としたときに、第２回動軸７１がこの平坦面７２の両端よりも内側に位置するように形成されている。
【００５１】
これにより、開口閉鎖部６０がロック部７０の開口Ａ’や衣類係止部５２の衣類挿通口５３を閉鎖した状態を解除する方向（本実施形態では左回り）に回動しようとした場合、当該開口閉鎖部６０から平坦面６４，７２を介してロック部７０へと伝わる力が第２回動軸７１上を通ることとなるため、ロック部７０にはモーメントが働かずに平坦面６４、７２が当接した状態が維持されて、その結果、開口閉鎖部６０の左回りの回動がロック部７０により規制されることとなる。
【００５２】
かかる構成とすることにより、戸外での使用中に強風等によりハンガー２が大きく揺れた場合であっても、開口閉鎖部６０の第１アーム部６２によってフック部５１の開口Ａ’が閉鎖されているため、ハンガー２が物干し竿Ｐから落下するおそれがない。しかも、第２アーム部６３によって衣類係止部５２の衣類挿通口５３が閉鎖されるため、ハンガー２に掛けられた下着Ｃ’が盗難されるおそれもない。
【００５３】
さらに、ロック部７０と開口閉鎖部６０とを付勢手段を用いることなく回動操作のみにより当接させることにより、フック部５１の開口Ａ’及び衣類係止部５２の衣類挿通口５３が閉鎖された状態を維持することとしたため、ハンガー本体５０の物干し竿Ｐへの着脱を行う際に力を要することがなく、女性や子供など比較的力の弱い人であっても当該着脱操作を簡便に行うことができる。
【００５４】
そのうえ、ハンガー２の物干し竿Ｐからの落下防止と当該ハンガー２に係止した下着の盗難防止とを単一の操作で同時に実現することができるため、煩雑な操作を行う必要もない。
【００５５】
ところで、本実施形態にかかるロック部７０は、開口閉鎖部６０の回動を規制する位置にあるとき、少なくとも一側面から見たときに視認不能となるように構成されている。
【００５６】
すなわち、本実施形態において、ロック部７０は、衣類係止部５２と開口閉鎖部６０との間に形成された収納部６５と同程度の厚さとしており、ロック部７０によりフック部５１の開口Ａ’及び衣類係止部５２の衣類挿通口５３を閉鎖した状態を維持するときに、ロック部７０が収納部６５に収納されて、ロック部７０がハンガー２の正面から見たときに視認不能となる。
【００５７】
このように、ハンガー２において、開口閉鎖部６０は、ロック部７０を収納する収納部６５を備え、ロック部７０によりフック部５１の開口Ａ’及び衣類係止部５２の衣類挿通口５３を閉鎖した状態を維持するときに、ロック部７０が収納部６５に収納されて、ロック部７０が少なくとも一側面から見たときに視認不能となるよう構成したため、衣類挿通口５３を閉鎖した状態を解除され難く、下着Ｃ’の盗難をより効果的に防止することができる。
【００５８】
さらに、ハンガー本体５０には、ロック部７０とは別に、開口閉鎖部６０の回動を規制する第２のロック部８０が設けられている。
【００５９】
この第２のロック部８０は、衣類係止部５２の衣類挿通口５３側の側面に設けられた縦長形状の部材であり、第３回動軸８１を中心に回動自在に軸支されることにより、ハンガー本体５０の水平面に対して垂直に回動するように構成されている。
【００６０】
ここで、ハンガー２は、開口閉鎖部６０がフック部５１の開口Ａ’を閉鎖した位置にあるとき、当該開口閉鎖部６０の第２アーム部６３側の側面と衣類係止部５２の衣類挿通口５３側の側面とが同一平面上となるように形成されている。そして、かかる状態で第２のロック部８０を第３回動軸８１を中心に回動させると、図４（ｂ）に示すように、第２のロック部８０と開口閉鎖部６０とが当接した状態となり、これにより、開口閉鎖部６０の回動が規制されることとなる。
【００６１】
しかも、この第２のロック部８０は、開口閉鎖部６０の回動を規制した状態を維持する施錠部８２を有しており、所定の鍵Ｋを用いて解錠することにより開口閉鎖部６０の回動を規制した状態を解除可能に構成されている。
【００６２】
具体的に説明すると、衣類係止部５２の衣類挿通口５３側の側面には、図５（ａ）に示すように、所定深さの収納穴５７ａ，５７ｂが形成されており、また、第２のロック部８０には、二つの鍵穴８３ａ，８３ｂが形成されている。そして、第２のロック部８０が開口閉鎖部６０の回動を規制する位置まで回動した状態のときに、これら収納穴５７ａ，５７ｂ及び鍵穴８３ａ，８３ｂの位置が一致するように構成されている。
【００６３】
また、衣類係止部５２に形成された二つの収納穴５７ａ，５７ｂには、それぞれバネ５８ａ、５８ｂが内蔵されており、さらに、各バネ５８ａ，５８ｂには、所定長さの突起５９ａ，５９ｂが取り付けられている。
【００６４】
そして、この突起５９ａ，５９ｂは、鍵穴８３ａ，８３ｂの位置が収納穴５７ａ，５７ｂの位置と一致した状態のときに、バネ５８ａ，５８ｂの付勢力によって鍵穴８３ａ，８３ｂ内へ突出するように構成されており、これにより、第２のロック部８０が開口閉鎖部６０の回動を規制した状態を解除不能とすることができる。
【００６５】
なお、本実施形態において、施錠部８２は、鍵穴８３ａ，８３ｂ、バネ５８ａ，５８ｂ及び突起５９ａ，５９ｂより構成されるものである。
【００６６】
また、所定の鍵としての鍵Ｋは、鍵穴８３ａ，８３ｂの深さと同一の長さを有する挿入部Ｋ１，Ｋ２を有しており、第２のロック部８０により開口閉鎖部６０の回動が規制された状態を解除する場合は、この鍵Ｋの挿入部Ｋ１，Ｋ２をそれぞれ鍵穴８３ａ，８３ｂに差し込み、鍵穴８３ａ，８３ｂ内に突出した突起５９ａ，５９ｂをバネ５８ａ，５８ｂの付勢力に抗して衣類係止部５２の収納穴５７ａ，５７ｂに押し込んだ状態とする。
【００６７】
これにより、突起５９ａ、５９ｂにより第２のロック部８０の回動が規制された状態が解除されるため、第２のロック部８０を開口閉鎖部６０の回動を規制しない位置（図５（ａ）に示す位置）まで回動可能となり、開口閉鎖部６０を回動させて衣類挿通口５３から下着Ｃ’を取り出すことができる。
【００６８】
このように、本実施形態にかかるハンガー２は、施錠部８２を有する第２のロック部８０を設け、鍵Ｋを用いなければこの第２のロック部８０により開口閉鎖部６０の回動が規制された状態を解除することができない構成としたため、下着Ｃ’を盗難しようとした者が、万が一、ロック部７０により開口閉鎖部６０の回動が規制された状態の解除方法に気付いた場合であっても、鍵Ｋがない限り第２のロック部８０により開口閉鎖部６０の回動が規制された状態を解除することができず、下着Ｃ’の盗難をより確実に防止することができる。
【００６９】
また、衣類係止部５２においてスリットＳを形成する下端面は、当該スリットＳの延在方向中央近傍を頂点として山形に形成されている。
【００７０】
このように、衣類係止部５２におけるスリットＳを形成する下端面を、下着Ｃ’の股間部に沿って山形に形成することで、衣類係止部５２に係止される下着Ｃ’の形状を保ち、洗濯よれ等をできにくくすることができる。
【００７１】
また、本実施形態にかかるハンガー２において、衣類係止部５２及び開口閉鎖部６０には、衣類係止部５２のスリットＳ内に挿通した下着Ｃ’を挟持するための挟持片５５，６６がそれぞれ設けられており、開口閉鎖部６０をフック部５１及び衣類係止部５２の衣類挿通口５３が閉鎖される位置まで回動させたとき、各挟持片５５、６６が下着Ｃ’を挟持する構成としている。
【００７２】
かかる構成とすることにより、ハンガー２が強風で大きく揺れた場合でも、下着Ｃ’の位置がずれることがなく、当該下着Ｃ’に洗濯よれ等ができにくくすることができる。
【００７３】
また、衣類係止部５２には、スリットＳの下端面における衣類挿通口５３側の端部に膨大部５４を設けている。
【００７４】
かかる構成とすることにより、開口閉鎖部６０により衣類挿通口５３を閉鎖する前において、衣類係止部５２に吊下げた下着Ｃ’の衣類挿通口５３からの滑落を防止することができる。
【００７５】
また、衣類係止部５２の下部には、フック状の取り付け部５６が設けられており、この取り付け部５６には、下着Ｃ’の形状を保つための形状維持具Ｈを着脱自在に取り付けることが可能となっている。
【００７６】
すなわち、この形状維持具Ｈは、略三角形状の環状部材であり、取り付け部５６に一の頂点部分を吊下げるとともに、他の頂点部分に下着Ｃ’のウエスト部分を引っ掛けることにより、衣類係止部５２に吊下げた下着Ｃ’の形状を維持したまま当該下着Ｃ’を干すことができ、これにより、当該下着Ｃ’の型崩れを防止することができる。
【００７７】
本実施形態にかかるハンガー２は上記のように構成されており、次に、このハンガー２の使用方法の一例について、図６を用いて説明する。図６は本実施形態にかかる脱落防止機能付きハンガーの使用方法を説明するための正面図である。
【００７８】
本実施形態にかかるハンガー２を用いて下着Ｃ’を干す場合、先ず、図６（ａ）に示すように、物干し竿Ｐをフック部５１の開口Ａ’近傍に位置させる。
【００７９】
次に、図６（ｂ）に示すように、下着Ｃ’を衣類挿通口５３からスリットＳ内部に挿通させて吊下げた後、開口閉鎖部６０を右方向に回動させることにより、ハンガー２が物干し竿Ｐに吊下げられた状態とするとともに、フック部５１の開口Ａ’及び衣類係止部５２の衣類挿通口５３が閉鎖された状態とする。
【００８０】
この際、開口閉鎖部６０の回動に伴って当該開口閉鎖部６０に設けられた挟持片６６が回動して、衣類係止部５２に設けられた挟持片５５に当接し、これら挟持片５５，６６の間にある下着Ｃ’が挟持された状態となるため、ハンガー２が強風で大きく揺れた場合でも、下着Ｃ’の位置がずれることがなく、当該下着Ｃ’に洗濯よれ等ができにくくすることができる。
【００８１】
また、衣類係止部５２におけるスリットＳを形成する下端面を、下着Ｃ’の股間部に沿って山形に形成することで、衣類係止部５２に係止される下着Ｃ’の形状を保ち、洗濯よれ等ができにくくすることができる。
【００８２】
さらにその後、フック部５１を右方向に回動させて、開口閉鎖部６０に形成された平坦面６４とロック部７０に形成された平坦面７２とを当接させることにより、開口閉鎖部６０の左回りの回動がロック部７０により規制された状態とする。これにより、開口閉鎖部６０がフック部５１の開口Ａ’及び衣類係止部５２の衣類挿通口５３を閉鎖した状態が維持されることとなる。
【００８３】
また、かかる状態において、ロック部７０は、少なくとも一側面から見たときに視認不能となるように構成されているため、衣類挿通口５３を閉鎖した状態を解除され難く、下着Ｃ’の盗難をより効果的に防止することができる。
【００８４】
さらにその後、開口閉鎖部６０の回動を規制する状態となるまで第２のロック部８０を回動させると、衣類係止部５２の収納穴５７ａ，５７ｂに内蔵された突起５９ａ，５９ｂがバネ５８ａ，５８ｂの付勢力によって鍵穴８３ａ，８３ｂ内へ突出し、これにより、第２のロック部８０により開口閉鎖部６０の回動が規制された状態が解除不能となり、下着Ｃ’の盗難をより確実に防止することができる。
【００８５】
上述してきた実施形態により、以下の脱落防止機能付きハンガーが実現できる。
【００８６】
フック部（１１、５１）とこのフック部の基端に連接した衣類係止部（１２、５２）とよりなるハンガー本体（１０、５０）と、フック部の開口を閉鎖する開口閉鎖部（２０、６０）と、開口閉鎖部がフック部の開口を閉鎖した状態を維持するためのロック部（３０、７０）と、を備えた脱落防止機能付きハンガーにおいて、開口閉鎖部及びロック部は、それぞれハンガー本体に回動自在に軸支されており、開口閉鎖部をフック部の開口（Ａ）が閉鎖される位置まで回動させた状態で、ロック部を回動させて当該ロック部と開口閉鎖部とを当接させることにより、ロック部が開口閉鎖部の回動を規制して当該開口閉鎖部がフック部の開口を閉鎖した状態を維持する脱落防止機能付きハンガー（１，２）。
【００８７】
衣類係止部（５２）は、一端に衣類挿通口（５３）を形成したスリット（Ｓ）を有しており、開口閉鎖部（６０）は、回動操作によりフック部（５１）の開口（Ａ’）と衣類係止部の衣類挿通口とを同時に閉鎖可能に構成され、開口閉鎖部をフック部の開口及び衣類係止部の衣類挿通口が閉鎖される位置まで回動させた状態で、ロック部（７０）を回動させて当該ロック部と開口閉鎖部とを当接させることにより、ロック部が開口閉鎖部の回動を規制して当該開口閉鎖部がフック部の開口を閉鎖した状態を維持するとともに、衣類係止部の衣類挿通口から衣類を取り外し不能とする脱落防止機能付きハンガー（２）。
【００８８】
ロック部（７０）は、開口閉鎖部（６０）の回動を規制する位置にあるとき、少なくとも一側面から見たときに視認不能である脱落防止機能付きハンガー（２）。
【００８９】
ハンガー本体（５０）には、ロック部（７０）とは別に、開口閉鎖部（６０）の回動を規制する第２のロック部（８０）が設けられており、第２のロック部は、開口閉鎖部の回動を規制した状態を維持する施錠部（８２）を有し、所定の鍵（Ｋ）を用いて解錠することにより開口閉鎖部の回動を規制した状態を解除可能とする脱落防止機能付きハンガー（２）。
【００９０】
衣類係止部（５２）及び開口閉鎖部（６０）には、衣類係止部のスリット（Ｓ）内に挿通した衣類（例えば、「下着Ｃ’」）を挟持するための挟持片（５５、６６）がそれぞれ設けられており、開口閉鎖部をフック部（５１）及び衣類係止部の衣類挿通口が閉鎖される位置まで回動させたとき、各挟持片により衣類が挟持される脱落防止機能付きハンガー（２）。
【００９１】
衣類係止部（５２）においてスリット（Ｓ）を形成する下端面は、当該スリットの延在方向中央近傍を頂点として山形に形成されている脱落防止機能付きハンガー（２）。
【００９２】
衣類係止部（５２）は、衣類挿通口（５３）近傍に当該衣類係止部に吊下げた衣類（例えば、「下着Ｃ’」）の衣類挿通口からの滑落を防止するための膨大部（５４）が設けられている脱落防止機能付きハンガー（２）。
【００９３】
衣類係止部（５２）の下部には、衣類係止部に吊下げた衣類（例えば、「下着Ｃ’」）の型崩れを防止する形状維持具（Ｈ）を着脱自在に取り付けるための取り付け部（５６）が設けられている脱落防止機能付きハンガー（２）。
【００９４】
以上、本発明の実施の形態のうちのいくつかを図面に基づいて詳細に説明したが、これらは例示であり、当業者の知識に基づいて種々の変形、改良を施した他の形態で本発明を実施することが可能である。
【図面の簡単な説明】
【００９５】
【図１】本発明の第１実施形態にかかる脱落防止機能付きハンガーの使用状態図である。
【図２】本発明の第１実施形態にかかる脱落防止機能付きハンガーの正面図である。
【図３】本発明の第２実施形態にかかる脱落防止機能付きハンガーの使用状態図である。
【図４】本発明の第２実施形態にかかる脱落防止機能付きハンガーの斜視図である。
【図５】本発明の第２実施形態にかかる脱落防止機能付きハンガーにおける、第２のロック部の構成を説明するための拡大正面図である。
【図６】本発明の第２実施形態にかかる脱落防止機能付きハンガーの使用方法を説明するための正面図である。
【符号の説明】
【００９６】
Ａ、Ａ’    フック部の開口
Ｃ    衣類
Ｃ’    下着
Ｈ    形状維持具
Ｋ    鍵
Ｐ    物干し竿
Ｓ    スリット
１、２    脱落防止機能付きハンガー
１０、５０    ハンガー本体
１１、５１    フック部
１２、５２    衣類係止部
２０、６０    開口閉鎖部
３０、７０    ロック部
８０    第２のロック部
【図１】
2009285055.tif 000003
【図２】
2009285055.tif 000004
【図３】
2009285055.tif 000005
【図４】
2009285055.tif 000006
【図５】
2009285055.tif 000007
【図６】
2009285055.tif 000008